(57)【要約】【課題】リードウェブにウェブ継ぎされた本ウェブに印刷を行う際に、各印刷ユニットによって転写されるインキの転写パターンが互いにズレてしまうことを効果的に抑制し得るリードウェブを選定する選定装置を提供する。【解決手段】選定装置１は、リードウェブ２として用いられ得る複数のウェブ材の各々について、一定の伸び率を得るために必要な荷重に関する情報および一定の荷重を負荷した際の伸び率に関する情報の少なくとも一方を記憶する記憶手段１０と、本ウェブとして用いられるウェブ材に関する情報を入力するための入力手段２０と、入力手段２０に入力された前記情報と、記憶手段１０が記憶した前記情報と、に基づいて、リードウェブ２として用いられるウェブ材を選定する選定手段３０と、を備える。【選択図】図１
2014177021.tif 000002
【特許請求の範囲】
【請求項１】
本ウェブとウェブ継ぎされるリードウェブとして用いられるウェブ材を、前記本ウェブの情報に基づいて選定する選定装置であって、
リードウェブとして用いられ得る複数のウェブ材の各々について、一定の伸び率を得るために必要な荷重に関する情報および一定の荷重を負荷した際の伸び率に関する情報の少なくとも一方を記憶する記憶手段と、
本ウェブとして用いられるウェブ材に関する情報を入力するための入力手段と、
前記入力手段に入力された前記情報と、前記記憶手段が記憶した、一定の伸び率を得るために必要な荷重に関する情報および一定の荷重を負荷した際の伸び率に関する情報の少なくとも一方と、に基づいて、前記リードウェブとして用いられるウェブ材を選定する選定手段と、
を備える、選定装置。
【請求項２】
前記記憶手段は、前記本ウェブとして用いられ得る複数のウェブ材の各々について、一定の伸び率を得るために必要な荷重に関する情報および一定の荷重を負荷した際の伸び率に関する情報の少なくとも一方を更に記憶するようになっており、
前記選定手段は、前記入力手段に入力された前記情報に基づいて、前記記憶手段から、前記本ウェブに相当するウェブ材に関する、一定の伸び率を得るために必要な荷重に関する情報および一定の荷重を負荷した際の伸び率に関する情報の少なくとも一方を抽出し、
前記記憶手段が記憶した前記リードウェブとして用いられ得る複数のウェブ材のうち、前記本ウェブに相当するウェブ材の一定の伸び率を得るために必要な荷重の値との差が予め定められた範囲内となる一定の伸び率を得るために必要な荷重の値を持つウェブ材、あるいは、前記本ウェブに相当するウェブ材の一定の荷重を負荷した際の伸び率の値との差が予め定められた範囲内となる一定の荷重を負荷した際の伸び率の値を持つウェブ材を抽出し、
当該抽出されたウェブ材のうちから、前記リードウェブとして用いられるウェブ材を選定するようになっている、請求項１に記載の選定装置。
【請求項３】
本ウェブとウェブ継ぎされるリードウェブとして用いられるウェブ材を、前記本ウェブの情報に基づいて選定する選定方法であって、
リードウェブとして用いられ得る複数のウェブ材の各々について、一定の伸び率を得るために必要な荷重に関する情報および一定の荷重を負荷した際の伸び率に関する情報の少なくとも一方を記憶する記憶工程と、
本ウェブとして用いられるウェブ材に関する情報を入力する入力工程と、
前記入力工程において入力された前記情報と、前記記憶工程において記憶した、一定の伸び率を得るために必要な荷重に関する情報および一定の荷重を負荷した際の伸び率に関する情報の少なくとも一方と、に基づいて、前記リードウェブとして用いられるウェブ材を選定する選定工程と、
を備える、選定方法。
【請求項４】
前記記憶工程において、本ウェブとして用いられ得る複数のウェブ材の各々について、一定の伸び率を得るために必要な荷重に関する情報および一定の荷重を負荷した際の伸び率に関する情報の少なくとも一方を更に記憶し、
前記選定工程において、前記入力工程において入力された前記情報に基づいて、前記記憶工程において記憶した情報から、前記本ウェブに相当するウェブ材に関する、一定の伸び率を得るために必要な荷重の値に関する情報および一定の荷重を負荷した際の伸び率の値に関する情報の少なくとも一方を抽出し、
前記記憶工程において記憶した前記リードウェブとして用いられ得る複数のウェブ材のうちから、前記本ウェブに相当するウェブ材の一定の伸び率を得るために必要な荷重の値との差が予め定めた範囲内となる一定の伸び率を得るために必要な荷重の値を持つウェブ材、あるいは、前記本ウェブに相当するウェブ材の一定の荷重を負荷した際の伸び率の値との差が予め定めた範囲内となる一定の荷重を負荷した際の伸び率の値を持つウェブ材を抽出し、
当該抽出されたウェブ材のうちから、前記リードウェブとして用いられるウェブ材を選定する、請求項３に記載の選定方法。
【発明の詳細な説明】
【技術分野】
【０００１】
本発明は、本ウェブとウェブ継ぎされるリードウェブとして用いられるウェブ材を選定する選定装置および選定方法に関する。
【背景技術】
【０００２】
例えば、特許文献１に記載されているように、多色刷りを行うグラビア輪転機は、各色毎に設けられた複数の印刷ユニットを備えている。各印刷ユニットは、連続的に搬送されるウェブにインキを所定の転写パターンで転写する版胴と、この版胴に連結され当該版胴を回転駆動させる駆動モータとを有している。各印刷ユニットの版胴から転写されるインキの転写パターンは、ウェブ上で互いに重ね合せられて、多彩な色からなる絵柄が表現される。
【０００３】
この絵柄を精彩に表現するよう、各印刷ユニットによって転写されるインキの転写パターンは、ウェブ上で正確に重ね合せられるよう制御される。具体的には、ウェブの幅方向における周縁に、各印刷ユニットの版胴によってインキの転写パターンの位置情報を示す見当マークが付される。そして、隣り合う印刷ユニット間におけるウェブの伸びを考慮して、隣り合う印刷ユニットの駆動モータの回転速度をそれぞれ独立に調整することによって、各見当マークの位置が重なるように合わせられる。
【０００４】
また、各印刷ユニットのインキは、顧客から提示された印刷見本に基づいて調色される。通常、ウェブに転写されるインキの色味は、ウェブの厚みや材質等によって僅かに異なってくる。従って、製品として利用される本ウェブに印刷を開始する前に、製品として利用されない安価なリードウェブに試し刷りを行って、各印刷ユニットのインキの色合わせを行っている。また、各印刷ユニットのインキの色合わせが終わると、リードウェブに付けられた各見当マークを互いに重ね合わせるように、各印刷ユニットの駆動モータの回転速度が調整される。
【０００５】
このリードウェブを用いた調整作業が完了すると、リードウェブに本ウェブをウェブ継ぎして、本ウェブに各インキが転写されていく。なお、ここでいうリードウェブとは、各印刷ユニットのインキの色合せを行うために用いられる、製品として利用されないウェブをいう。一方、本ウェブとは、リードウェブを用いてインキの色合せが行われた各印刷ユニットからインキを転写される、製品として利用されるウェブをいう。
【先行技術文献】
【特許文献】
【０００６】
【特許文献１】特開２０１１−２０１１３８
【発明の概要】
【発明が解決しようとする課題】
【０００７】
輪転機は高速で稼働されるため、上記調整作業には相当な長さのリードウェブが必要とされる。このため、従来では、廃棄処分されるリードウェブの材料費を節約するために、インキの色合わせに適するウェブ材のうち安価なウェブ材を採用していた。
【０００８】
しかしながら、このようにして選定されたウェブ材からなるリードウェブは、本ウェブと異なる物理特性を示すことになる。具体的には、リードウェブと本ウェブとは互いに材質および厚みも異なることから、リードウェブと本ウェブとは、互いに異なる伸び率を示す。このため、リードウェブからウェブ継ぎされた本ウェブに印刷を行う際に、各印刷ユニットにおけるリードウェブの伸び率と本ウェブの伸び率とが異なるため、各印刷ユニットによって本ウェブに転写される各インキの転写パターンが互いにズレてしまう。このため、リードウェブと本ウェブとをウェブ継ぎした後、各見当マークの位置合せ作業を再び行う必要があり、この位置合せ作業に相当な長さの本ウェブの損失が発生していた。とりわけ、本ウェブとして高価なウェブ材を用いる場合、リードウェブとして安価なウェブ材を使用しても、結局、本ウェブの損失によって、総合的に相当な費用を失うことになってしまう。
【０００９】
本発明は、このような点に鑑みてなされたものであり、リードウェブにウェブ継ぎされた本ウェブに印刷を行う際に、各印刷ユニットによって転写されるインキの転写パターンが互いにズレてしまうことを効果的に抑制するリードウェブを選定する選定装置を提供することを目的とする。
【課題を解決するための手段】
【００１０】
本発明による選定装置は、本ウェブとウェブ継ぎされるリードウェブとして用いられるウェブ材を、前記本ウェブの情報に基づいて選定する選定装置であって、
リードウェブとして用いられ得る複数のウェブ材の各々について、一定の伸び率を得るために必要な荷重に関する情報および一定の荷重を負荷した際の伸び率に関する情報の少なくとも一方を記憶する記憶手段と、
本ウェブとして用いられるウェブ材に関する情報を入力するための入力手段と、
前記入力手段に入力された前記情報と、前記記憶手段が記憶した、一定の伸び率を得るために必要な荷重に関する情報および一定の荷重を負荷した際の伸び率に関する情報の少なくとも一方と、に基づいて、前記リードウェブとして用いられるウェブ材を選定する選定手段と、
を備える。
【００１１】
本発明による選定装置において、前記記憶手段は、前記本ウェブとして用いられ得る複数のウェブ材の各々について、一定の伸び率を得るために必要な荷重に関する情報および一定の荷重を負荷した際の伸び率に関する情報の少なくとも一方を更に記憶するようになっており、
前記選定手段は、前記入力手段に入力された前記情報に基づいて、前記記憶手段から、前記本ウェブに相当するウェブ材に関する、一定の伸び率を得るために必要な荷重に関する情報および一定の荷重を負荷した際の伸び率に関する情報の少なくとも一方を抽出し、
前記記憶手段が記憶した前記リードウェブとして用いられ得る複数のウェブ材のうち、前記本ウェブに相当するウェブ材の一定の伸び率を得るために必要な荷重の値との差が予め定められた範囲内となる一定の伸び率を得るために必要な荷重の値を持つウェブ材、あるいは、前記本ウェブに相当するウェブ材の一定の荷重を負荷した際の伸び率の値との差が予め定められた範囲内となる一定の荷重を負荷した際の伸び率の値を持つウェブ材を抽出し、
当該抽出されたウェブ材のうちから、前記リードウェブとして用いられるウェブ材を選定するようになっていてもよい。
【００１２】
本発明による選定装置において、前記選定手段によって選定された前記リードウェブとして用いられるウェブ材に関する情報を表示する表示手段を更に備えてもよい。
【００１３】
本発明による選定方法は、本ウェブとウェブ継ぎされるリードウェブとして用いられるウェブ材を、前記本ウェブの情報に基づいて選定する選定方法であって、
リードウェブとして用いられ得る複数のウェブ材の各々について、一定の伸び率を得るために必要な荷重に関する情報および一定の荷重を負荷した際の伸び率に関する情報の少なくとも一方を記憶する記憶工程と、
本ウェブとして用いられるウェブ材に関する情報を入力する入力工程と、
前記入力工程において入力された前記情報と、前記記憶工程において記憶した、一定の伸び率を得るために必要な荷重に関する情報および一定の荷重を負荷した際の伸び率に関する情報の少なくとも一方と、に基づいて、前記リードウェブとして用いられるウェブ材を選定する選定工程と、
を備える。
【００１４】
本発明による選定方法において、前記記憶工程において、本ウェブとして用いられ得る複数のウェブ材の各々について、一定の伸び率を得るために必要な荷重に関する情報および一定の荷重を負荷した際の伸び率に関する情報の少なくとも一方を更に記憶し、
前記選定工程において、前記入力工程において入力された前記情報に基づいて、前記記憶工程において記憶した情報から、前記本ウェブに相当するウェブ材に関する、一定の伸び率を得るために必要な荷重の値に関する情報および一定の荷重を負荷した際の伸び率の値に関する情報の少なくとも一方を抽出し、
前記記憶工程において記憶した前記リードウェブとして用いられ得る複数のウェブ材のうちから、前記本ウェブに相当するウェブ材の一定の伸び率を得るために必要な荷重の値との差が予め定めた範囲内となる一定の伸び率を得るために必要な荷重の値を持つウェブ材、あるいは、前記本ウェブに相当するウェブ材の一定の荷重を負荷した際の伸び率の値との差が予め定めた範囲内となる一定の荷重を負荷した際の伸び率の値を持つウェブ材を抽出し、
当該抽出されたウェブ材のうちから、前記リードウェブとして用いられるウェブ材を選定するようになっていてもよい。
【００１５】
本発明による選定方法において、前記選定工程によって選定された前記リードウェブとして用いられるウェブ材に関する情報を表示する表示工程を更に備えてもよい。
【発明の効果】
【００１６】
本発明によれば、リードウェブからウェブ継ぎされた本ウェブに印刷を行う際に、各印刷ユニットによって転写されるインキの転写パターンが互いにズレてしまうことを効果的に抑制するリードウェブを選定することができる。
【図面の簡単な説明】
【００１７】
【図１】図１は、本発明の一実施の形態による選定装置を示す概略図である。
【図２】図２は、多色刷りのグラビア輪転機の構成の一例を示す概略図である。
【図３】図３は、図１の選定装置の動作を説明するためのフローチャートである。
【図４】図４は、リードウェブとして用いられ得るウェブ材についての、厚みと、一定の伸び率を得るために必要な荷重と、の関係の一例を示すグラフである。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１乃至図４は、本発明による一実施の形態を説明するための図である。このうち図１は、本発明の一実施の形態による選定装置を示す概略図である。
【００１９】
図１に示す選定装置１は、本ウェブ３とウェブ継ぎされるリードウェブ２として用いられるウェブ材を、本ウェブ３の情報に基づいて選定する装置である。先ず、図２を参照して、図１に示す選定装置１を用いて選定されたリードウェブ２を適用する装置について説明する。図２は、多色刷りのグラビア輪転機の構成の一例を示す概略図である。
【００２０】
図１に示すグラビア輪転機１００は、連続的に給送されるウェブＷにテンションを加えながら案内するインフィードユニット１１０と、インフィードユニット１１０から搬送されるウェブＷに対して互いに異なる色の印刷を施す複数の印刷ユニット１２０ａ、１２０ｂ、１２０ｃと、を備えている。なお、本実施の形態では、印刷ユニット１２０は、３台からなり、搬送方向上流側から順に、第１印刷ユニット１２０ａ、第２印刷ユニット１２０ｂ、第３印刷ユニット１２０ｃと呼ぶことにする。
【００２１】
インフィードユニット１１０は、回転駆動するインフィードローラ１１１と、インフィードローラ１１１に対向して配置され、当該インフィードローラ１１１との間でウェブＷを挟持する押圧ローラ１１３と、を有している。このうち、インフィードローラ１１１には、当該インフィードローラ１１１を回転駆動させる駆動モータ１１５が接続されている。 駆動モータ１１５によってインフィードローラ１１１の回転速度を調整することによって、このインフィードローラ１１１と第１印刷ユニット１２０ａの版胴１２１（後述）との間でウェブＷを伸張させて、ウェブＷに張力を付与するようになっている。
【００２２】
各印刷ユニット１２０ａ、１２０ｂ、１２０ｃは、連続的に搬送されるウェブＷにインキを所定の転写パターンで転写する版胴１２１と、版胴１２１に対向して配置され、当該版胴１２１との間でウェブＷを挟持する圧胴１２２と、を有している。このうち、版胴１２１には、当該版胴１２１を回転駆動させる駆動モータ１２３が接続されている。また、各印刷ユニット１２０ａ、１２０ｂ、１２０ｃの版胴１２１は、ウェブＷにインキを転写する際に、ウェブＷの幅方向における周縁に、インキの転写パターンの位置情報を示す見当マークを付けるようになっている。
【００２３】
更に、第２印刷ユニット１２０ｂおよび第３印刷ユニット１２０ｃは、版胴１２１の下流側に設けられ、ウェブＷに付けられた見当マークを検出する見当マーク検出センサ１２５ｂ、１２５ｃをそれぞれ有している。ここで、第２印刷ユニット１２０ｂの見当マーク検出センサ１２５ｂは、第１印刷ユニット１２０ａの版胴１２１によって付された第１見当マークと、第２印刷ユニット１２０ｂの版胴１２１によって付された第２見当マークと、を検出するようになっている。また、第３印刷ユニット１２０ｃの見当マーク検出センサ１２５ｃは、前記第２見当マークと、第３印刷ユニット１２０ｃの版胴１２１によって付された第３見当マークと、を検出するようになっている。
【００２４】
このようなグラビア輪転機１００では、製品として利用される本ウェブ３に印刷を開始する前に、製品として利用されないリードウェブ２に試し刷りを行って、各印刷ユニット１２０ａ、１２０ｂ、１２０ｃのインキの色合わせを行う。具体的には、リードウェブ２が、インフィードユニット１１０および各印刷ユニット１２０ａ、１２０ｂ、１２０ｃ内に順に給送されていき、各印刷ユニット１２０ａ、１２０ｂ、１２０ｃにおいて、回転する版胴１２１と圧胴１２との間に挟持されて所定の転写パターンでインキを転写される。この際、リードウェブ２に対して見当マークが版胴１２１により転写される。また、リードウェブ２に転写されたインキを分析することにより、各印刷ユニット１２０ａ、１２０ｂ、１２０ｃのインキを、顧客から提示された印刷見本に基づいて調色する。
【００２５】
インキの色合わせが終わると、リードウェブ２に付けられた各見当マークを互いに重ね合わせるように、各印刷ユニット１２０ａ、１２０ｂ、１２０ｃの駆動モータ１２３の回転速度が調整される。具体的には、第２印刷ユニット１２０ｂの見当マーク検出センサ１２５ｂの検出結果に基づいて、第２印刷ユニット１２０ｂの駆動モータ１２３の回転速度を調整して、第１印刷ユニット１２０ａの版胴１２１と第２印刷ユニット１２０ｂの版胴１２１との間を搬送されるリードウェブ２の伸びを調整し、第１見当マークと第２見当マークの位置が重なるように合わせられる。同様に、第３印刷ユニット１２０ｃの見当マーク検出センサ１２５ｃの検出結果に基づいて、第３印刷ユニット１２０ｃの駆動モータ１２３の回転速度を調整して、第２印刷ユニット１２０ｂの版胴１２１と第３印刷ユニット１２０ｃの版胴１２１との間を搬送されるリードウェブ２の伸びを調整し、第２見当マークと第３見当マークの位置が重なるように合わせられる。
【００２６】
このリードウェブ２を用いた調整作業が完了すると、リードウェブ２に本ウェブ３をウェブ継ぎして、これにより、本ウェブ３が各印刷ユニット１２０ａ、１２０ｂ、１２０ｃを通過するようになり、各印刷ユニット１２０ａ、１２０ｂ、１２０ｃからのインキが本ウェブ３に転写されていく。なお、グラビア輪転機１００は、リードウェブ２の巻取部と本ウェブ３の巻取部とを切り替え可能に支持するターレット（不図示）を備え、リードウェブ２および本ウェブ３は、ターレットの対応する巻取部にそれぞれ巻き取られる。
【００２７】
このように、リードウェブ２は、各印刷ユニット１２０ａ、１２０ｂ、１２０ｃのインキの色合せを行うために用いられるものであり、製品としては利用されない。従って、廃棄処分されるリードウェブの材料費を節約するために、リードウェブ２は安価なものが好ましい。
【００２８】
また、前述したように、リードウェブ２と本ウェブ３とが互いにある程度異なる伸び率を示すと、リードウェブ２を基準として出力を調整された駆動モータ１１５，１２３を含む印刷装置１００を用いて当該リードウェブ２にウェブ継ぎされた本ウェブ３に印刷を行う際に、各印刷ユニット１２０ａ、１２０ｂ、１２０ｃによって本ウェブ３に転写される各インキの転写パターンが互いにズレてしまう。この場合、リードウェブ２と本ウェブ３とをウェブ継ぎしてリードウェブ２から本ウェブ３に切り替わった後、再び各見当マークの位置合せ作業を行う必要があり、この位置合せ作業に相当な長さの本ウェブ３の損失が発生する。そこで、本ウェブ３に応じて適切なリードウェブ２を選定することによってこのような損失の発生を抑制すべく、本実施の形態による選定装置１が開発された。
【００２９】
図１に示すように、選定装置１は、リードウェブ２として用いられ得る複数のウェブ材の各々についての情報を記憶する記憶手段１０と、本ウェブ３として用いられるウェブ材に関する情報を入力するための入力手段２０と、入力手段２０に入力された前記情報と記憶手段１０が記憶した前記情報とに基づいて、リードウェブ２として用いられるウェブ材を選定する選定手段３０と、を備えている。
【００３０】
このうち、記憶手段１０は、リードウェブ２として用いられ得る複数のウェブ材の各々についての種々の情報を記憶することができる。具体的には、記憶手段１０は、リードウェブ２として用いられ得る複数のウェブ材の各々について、一定の伸び率を得るために必要な荷重Ｐに関する情報および一定の荷重を負荷した際の伸び率Ｔに関する情報の少なくとも一方を記憶する。ここでいう「一定の伸び率を得るために必要な荷重Ｐ」とは、言い換えると、単位長さのウェブ材を一定の量だけ伸張させる際に必要となる荷重とも言える。この荷重は、例えば、ウェブ材が弾性変形するとみなすことができるのであれば、ヤング率、厚みおよび幅を用いて理論的に算出することも可能である。つまり、「一定の伸び率を得るために必要な荷重Ｐに関する情報」として、弾性変形するとみなすことができるウェブ材であれば、ヤング率、厚みおよび幅の３つの物性値を利用してもよい。また、当然のことながら、一定の伸び率を得る前にウェブ材が破断してしまうと、当該ウェブ材をリードウェブ２として用いることができない。これらを考慮すると、「一定の伸び率」として、グラビア輪転機１００を稼働させた際に、本ウェブ３が示す伸び率を採用することが好ましい。
【００３１】
一方、「一定の荷重を負荷した際の伸び率Ｔ」とは、言い換えると、単位長さのウェブ材に一定の荷重を負荷した際の当該ウェブ材の伸びとも言える。この伸びは、例えば、ウェブ材が弾性変形するとみなすことができるのであれば、ヤング率、厚みおよび幅を用いて理論的に算出することも可能である。つまり、「一定の荷重を負荷した際の伸び率Ｔ」として、弾性変形するとみなすことができるウェブ材であれば、ヤング率、厚みおよび幅の３つの物性値を利用してもよい。また、当然のことながら、一定の荷重を負荷した際にウェブ材が破断してしまう場合には、当該ウェブ材をリードウェブ２として用いることができない。これらを考慮すると、「一定の荷重」として、グラビア輪転機１００を稼働させた際に、本ウェブ３に加えられる荷重を採用することが好ましい。
【００３２】
加えて、本実施の形態では、記憶手段１０は、リードウェブ２として用いられ得る複数のウェブ材の各々についての、厚み、材質および価格に関する情報も記憶する。
【００３３】
また、本実施の形態では、記憶手段１０は、本ウェブ３として用いられ得る複数のウェブ材の各々についても、種々の情報を記憶することができる。具体的には、記憶手段１０は、本ウェブ３として用いられ得る複数のウェブ材の各々について、一定の伸び率を得るために必要な荷重Ｐに関する情報および一定の荷重を負荷した際の伸び率Ｔに関する情報の少なくとも一方を記憶する。加えて、本実施の形態では、記憶手段１０は、本ウェブ３として用いられ得る複数のウェブ材の各々についての、厚みおよび材質に関する情報を記憶する。
【００３４】
なお、図示する例では、記憶手段１０が記憶する、これらリードウェブ２として用いられ得るウェブ材の情報および本ウェブ３として用いられ得るウェブ材の情報は、入力手段２０に入力されることにより、記憶手段１０が予め記憶する。
【００３５】
また、入力手段２０は、前述したように、実際に本ウェブ３として用いられるウェブ材に関する情報を入力するために設けられている。入力手段２０に入力される情報は、本ウェブ３の、一定の伸び率を得るために必要な荷重Ｐおよび一定の荷重を負荷した際の伸び率Ｔの少なくとも一方を特定するために必要な情報である。本実施の形態では、入力手段２０に、本ウェブ３の厚みおよび材質が入力される。もっとも、入力手段２０に、本ウェブ３の一定の伸び率を得るために必要な荷重Ｐの値や一定の荷重を負荷した際の伸び率Ｔの値が直接入力されてもよい。
【００３６】
この入力手段２０に入力された情報と、前述した記憶手段１０が記憶した、一定の伸び率を得るために必要な荷重Ｐに関する情報および一定の荷重を負荷した際の伸び率Ｔに関する情報の少なくとも一方と、に基づいて、選定手段３０によって、リードウェブ２として用いられるウェブ材が選定される。
【００３７】
具体的には、先ず、選定手段３０は、入力手段２０に入力された情報に基づいて、記憶手段１０から、本ウェブ３に相当するウェブ材に関する、一定の伸び率を得るために必要な荷重Ｐに関する情報および一定の荷重を負荷した際の伸び率Ｔに関する情報の少なくとも一方を抽出する。本実施の形態では、選定手段３０は、入力手段２０に入力された本ウェブ３の厚みおよび材質に基づいて、記憶手段１０が記憶した本ウェブ３として用いられ得る複数のウェブ材のうちから、本ウェブ３に相当するウェブ材を特定する。より詳細には、入力手段２０に入力された本ウェブ３の厚みおよび材質に一致する、記憶手段１０が記憶した本ウェブ３として用いられ得るウェブ材を特定する。該当するウェブ材がない場合には、一例として、入力手段２０に入力された本ウェブ３の材質と一致し、且つ、入力手段２０に入力された本ウェブ３の厚みに最も近い厚みを有する、記憶手段１０に記録されたウェブ材を、本ウェブ３に相当するウェブ材として特定してもよい。そして、選定手段３０は、本ウェブ３に相当するウェブ材として特定されたウェブ材の、一定の伸び率を得るために必要な荷重Ｐに関する情報および一定の荷重を負荷した際の伸び率Ｔに関する情報の少なくとも一方を記憶手段１０から抽出する。
【００３８】
次に、選定手段３０は、記憶手段１０が記憶したリードウェブ２として用いられ得る複数のウェブ材のうちから、上記で特定された本ウェブ３に相当するウェブ材の一定の伸び率を得るために必要な荷重Ｐの値との差が予め定められた範囲内となる、一定の伸び率を得るために必要な荷重Ｐの値を持つウェブ材、あるいは、本ウェブ３に相当するウェブ材の一定の荷重を負荷した際の伸び率Ｔの値との差が予め定められた値の範囲内に含まれる、一定の荷重を負荷した際の伸び率Ｔの値を持つウェブ材を抽出するようになっている。なお、前者の予め定められた値および後者の予め定められた値として、誤差とみなせるような値を指定してもよい。あるいは、リードウェブ２にウェブ継ぎされた本ウェブ３に印刷を行う際に、各印刷ユニット１２０ａ、１２０ｂ、１２０ｃによって本ウェブ３に転写される各インキの転写パターンが互いにズレることを許容できる範囲を考慮して、前者の予め定められた値および後者の予め定められた値を設定してもよい。
【００３９】
そして、選定手段３０は、当該抽出されたウェブ材のうちから、リードウェブ２として用いられるウェブ材を選定するようになっている。ここで選定されるウェブ材は、１つのウェブ材であってもよいし、複数のウェブ材であってもよい。市場で入手可能なウェブ材の種類は限られており、複数の種類のウェブ材が選定されても、作業者の知識や経験によって、リードウェブ２として用いられるべきウェブ材を適切に決定することができるからである。
【００４０】
リードウェブ２として用いられるウェブ材を選定する指標としては、例えば、材質、厚みおよび価格が挙げられる。前述したように、リードウェブ２は、本ウェブ３の色合わせを行うために用いられるため、本ウェブ３の色合わせを行うのに適切な材質であることが好ましい。また、リードウェブ２は、製品として利用されず廃棄処分されるため安価なウェブ材の方が好ましい。一般に、ウェブ材の材質が同一で厚みが異なる場合、厚みが薄いウェブ材の方が安価である。従って、選定手段３０は、これらの指標を総合的に考慮してウェブ材を選定してもよいし、これらの指標に優先順位を付けてウェブ材を選定してもよい。
【００４１】
また、図１に示すように、選定装置１は、選定手段３０によって選定されたリードウェブ２として用いられるウェブ材に関する情報を表示する表示手段４０を更に備えていてもよい。リードウェブ２として用いられるウェブ材に関する情報として、具体的には、選定されたウェブ材の型番や、選定されたウェブ材の材質および厚みが該当する。もっとも、このような例に限定されず、選定手段３０によって選定されたリードウェブ２として用いられるウェブ材に関する情報を、音声によって作業者に知らせてもよい。
【００４２】
なお、具体的な構成として、記憶手段１０、入力手段２０、選定手段３０および表示手段４０を備える選定装置１として、例えば、ＣＰＵ、メモリ、ハードディスク、キーボード・マウスおよびモニターを備えるコンピュータが挙げられる。
【００４３】
次に、以上のような構成からなる本実施の形態の作用について、図２および図３を参照しながら説明する。ここで、図３は、図１の選定装置１の動作を説明するためのフローチャートである。
【００４４】
本実施の形態の選定方法は、リードウェブ２として用いられ得る複数のウェブ材の各々について、一定の伸び率を得るために必要な荷重Ｐに関する情報および一定の荷重を負荷した際の伸び率Ｔに関する情報の少なくとも一方を記憶する記憶工程と、本ウェブ３として用いられるウェブ材に関する情報を入力する入力工程と、入力工程において入力された前記情報と、記憶工程において記憶した前記情報と、に基づいて、リードウェブ２として用いられるウェブ材を選定する選定工程と、を備える。以下、各工程について詳述する。
【００４５】
先ず、記憶工程において、リードウェブ２として用いられ得る複数のウェブ材の各々についての種々の情報を、記憶手段１０が記憶する（ＳＴＥＰ１）。具体的には、リードウェブ２として用いられ得る複数のウェブ材の各々について、一定の伸び率を得るために必要な荷重Ｐに関する情報および一定の荷重を負荷した際の伸び率Ｔに関する情報の少なくとも一方を、記憶手段１０が記憶する。加えて、本実施の形態では、リードウェブ２として用いられ得る複数のウェブ材の各々についての、厚み、材質および価格に関する情報も記憶手段１０が記憶する。
【００４６】
更に、本ウェブ３として用いられ得る複数のウェブ材の各々についての種々の情報も、記憶手段１０が記憶する（ＳＴＥＰ２）。具体的には、本ウェブ３として用いられ得る複数のウェブ材の各々について、一定の伸び率を得るために必要な荷重Ｐに関する情報および一定の荷重を負荷した際の伸び率Ｔに関する情報の少なくとも一方を、記憶手段１０が記憶する。加えて、本実施の形態では、本ウェブ３として用いられ得る複数のウェブ材の各々についての、厚みおよび材質に関する情報も記憶手段１０が記憶する。
【００４７】
次に、入力工程において、本ウェブ３として用いられるウェブ材に関する情報が、入力手段２０に入力される（ＳＴＥＰ３）。入力手段２０に入力される情報は、本ウェブ３の、一定の伸び率を得るために必要な荷重Ｐおよび一定の荷重を負荷した際の伸び率Ｔの少なくとも一方を特定するために必要な情報である。本実施の形態では、入力手段２０に、本ウェブ３の厚みおよび材質も入力される。
【００４８】
この入力工程において入力された情報と、前述した記憶工程において記憶した、一定の伸び率を得るために必要な荷重Ｐに関する情報および一定の荷重を負荷した際の伸び率Ｔに関する情報の少なくとも一方と、に基づいて、選定工程において、選定手段３０が、リードウェブ２として用いられるウェブ材を選定する。
【００４９】
具体的には、先ず、選定工程において、入力手段２０に入力された情報に基づいて、記憶工程において記憶した情報から、本ウェブ３に相当するウェブ材に関する、一定の伸び率を得るために必要な荷重Ｐに関する情報および一定の荷重を負荷した際の伸び率Ｔに関する情報の少なくとも一方を抽出する（ＳＴＥＰ４−１）。本実施の形態では、入力手段２０に入力された本ウェブ３の厚みおよび材質に基づいて、記憶工程において記憶手段１０が記憶した本ウェブ３として用いられ得る複数のウェブ材のうちから、本ウェブ３に相当するウェブ材を特定する。そして、この特定された本ウェブ３に相当するウェブ材の、一定の伸び率を得るために必要な荷重Ｐに関する情報および一定の荷重を負荷した際の伸び率Ｔに関する情報の少なくとも一方を記憶手段１０から抽出する。
【００５０】
次に、記憶工程において記憶したリードウェブ２として用いられ得る複数のウェブ材のうちから、前記本ウェブ３に相当するウェブ材の一定の伸び率を得るために必要な荷重Ｐの値との差が予め定めた範囲内となる、一定の伸び率を得るために必要な荷重Ｐの値を持つウェブ材、あるいは、本ウェブ３に相当するウェブ材の一定の荷重を負荷した際の伸び率Ｔの値との差が予め定めた範囲内となる、一定の荷重を負荷した際の伸び率Ｔの値を持つウェブ材を抽出する（ＳＴＥＰ４−２）。
【００５１】
そして、抽出されたウェブ材のうちから、リードウェブ２として用いられるウェブ材を選定する（ＳＴＥＰ４−３）。このとき、例えば、抽出されたウェブ材の材質、厚みおよび価格を総合的に考慮してウェブ材を選定してもよいし、あるいは、これらの指標に優先順位を付けてウェブ材を選定してもよい。
【００５２】
また、本実施の形態の選定方法は、選定工程によって選定されたリードウェブ２として用いられるウェブ材に関する情報を表示する表示工程を更に備えている。具体的には、リードウェブ２として用いられるウェブ材に関する情報として、選定されたウェブ材の材質および厚みや、選定されたウェブ材の型番を表示手段４０に表示する。
【００５３】
このような選定装置１の作用について、図４を参照しながらより具体的に説明する。図４は、リードウェブ２として用いられ得るウェブ材についての、厚みと、一定の伸び率を得るために必要な荷重Ｐと、の関係の一例を示すグラフである。図４に示すグラフでは、リードウェブ２として用いられ得るウェブ材の材質毎に、厚みと一定の伸び率を得るために必要な荷重Ｐとの関係を示している。
【００５４】
先ず、図４のグラフに示すように、記憶工程において、リードウェブ２として用いられ得るウェブ材の各々について、厚み、材質、価格および一定の伸び率を得るために必要な荷重Ｐを、記憶手段１０が記憶する。一具体例としての以下の説明では、材質の異なる３つの材料について、各厚みにおける、価格および一定の伸び率を得るために必要な荷重Ｐを記憶している。
【００５５】
次に、入力工程において入力された本ウェブ３として用いられるウェブ材に関する厚みおよび材質に基づいて、記憶手段１０から、本ウェブ３に相当するウェブ材に関する、一定の伸び率を得るために必要な荷重Ｐの値を抽出する。一具体例としての以下の説明では、本ウェブ３に相当するウェブ材に関する、一定の伸び率を得るために必要な荷重Ｐの値が、図４に一点鎖線で示すように０．０４２ｋＮとなっていることとする。
【００５６】
次に、記憶工程において記憶手段１０が記憶した複数のウェブ材のうち、本ウェブ３に相当するウェブ材の一定の伸び率を得るために必要な荷重Ｐの値０．０４２ｋＮとの差が予め定めた範囲内、具体例として±０．００５ｋＮの範囲内となる、一定の伸び率を得るために必要な荷重Ｐの値を示すウェブ材を抽出する。図４に示すグラフでは、厚み４０μｍの材質Ａからなるウェブ材、厚み７５μｍの材質Ｂからなるウェブ材、および、厚み１２５μｍの材質Ｂからなるウェブ材を抽出する。
【００５７】
そして、抽出された３つのウェブ材のうちから、リードウェブ２として用いられるウェブ材を選定する。例えば、今回用いる本ウェブ３の色合わせを行うのに適切な材質は、材質Ａよりも材質Ｂであることがわかっており、同一の材質であれば、厚みが薄いウェブ材の方を優先して選定するとすれば、これらを総合的に考慮して、厚み７５μｍの材質Ｂからなるウェブ材を選定する。
【００５８】
以上のように、本実施の形態によれば、入力手段２０に入力された本ウェブ３として用いられるウェブ材に関する情報と、記憶手段１０が記憶した、一定の伸び率を得るために必要な荷重Ｐに関する情報および一定の荷重を負荷した際の伸び率Ｔに関する情報の少なくとも一方と、に基づいて、リードウェブ２として用いられる適切なウェブ材を、選定手段３０を用いて選定することができる。このようにして選定されたリードウェブ２を用いると、リードウェブ２にウェブ継ぎされた本ウェブ３に印刷を行う際に、各印刷ユニット１２０ａ、１２０ｂ、１２０ｃにおけるリードウェブ２の伸び率と本ウェブ３の伸び率とが近い値となるため、リードウェブ２を用いて調整された各印刷ユニット１２０ａ、１２０ｂ、１２０ｃを用いて本ウェブ３上に転写されるインキの転写パターンが互いにズレてしまうことを効果的に抑制することができる。これにより、リードウェブ２と本ウェブ３とをウェブ継ぎした後、各見当マークの位置合せ作業を行う必要がほとんどなくなり、この位置合せ作業に必要となる本ウェブ３の損失を著しく低減させることができる。結果として、廃棄処分されるリードウェブ２の損失と位置合せ作業に利用した本ウェブ３の損失とによる総合的な費用の損失を、従来に比べて大きく低減することができる。
【００５９】
また、本実施の形態によれば、入力手段２０に入力された情報に基づいて、記憶手段１０から、本ウェブ３に相当するウェブ材に関する、一定の伸び率を得るために必要な荷重Ｐに関する情報および一定の荷重を負荷した際の伸び率Ｔに関する情報の少なくとも一方を抽出し、記憶手段１０が記憶したリードウェブ２として用いられ得る複数のウェブ材のうちから、本ウェブ３に相当するウェブ材の一定の伸び率を得るために必要な荷重Ｐの値との差が予め定められた範囲内となる一定の伸び率を得るために必要な荷重Ｐの値を持つウェブ材、あるいは、本ウェブ３に相当するウェブ材の一定の荷重を負荷した際の伸び率Ｔの値との差が予め定められた範囲内となる一定の荷重を負荷した際の伸び率Ｔの値を持つウェブ材を抽出し、当該抽出されたウェブ材のうちから、リードウェブ２として用いられるウェブ材を選定するようになっている。このような形態によれば、リードウェブ２の伸び率と本ウェブ３の伸び率とが近い値となるように、当該リードウェブ２を確実に選定することができる。このため、リードウェブ２を基準として出力を調整された駆動モータ１１５，１２３を含む印刷装置１００を用いて当該リードウェブ２にウェブ継ぎされた本ウェブ３に印刷を行う際に、各印刷ユニット１２０ａ、１２０ｂ、１２０ｃによって本ウェブ３に転写されるインキの転写パターンが互いにズレてしまうことをより確実に抑制することができる。
【００６０】
また、本実施の形態によれば、選定手段３０によって選定されたリードウェブ２として用いられるウェブ材に関する情報を表示する表示手段４０を更に備えている。このような形態によれば、リードウェブ２として用いられるウェブ材に関する情報を、作業者が容易に得ることができるようになる。
【符号の説明】
【００６１】
１  選定装置
２  リードウェブ
３  本ウェブ
１０  記憶手段
２０  入力手段
３０  選定手段
４０  表示手段
【図１】
2014177021.tif 000003
【図２】
2014177021.tif 000004
【図３】
2014177021.tif 000005
【図４】
2014177021.tif 000006